(57)【要約】【課題】潜像印刷層にグラデーション印刷層を重ね刷りしないで、複写機の低濃度設定でも警告パターンが現れて真贋判定可能とする。【解決手段】背景２と警告パターン３からなり、背景２と警告パターン３がグラデーションになるように、背景２と警告パターン３の一方を、網点で白抜きした万線で構成した偽造防止用紙。【選択図】図１
2011031583.tif 000002
【特許請求の範囲】
【請求項１】
背景と警告パターンからなり、背景と警告パターンがグラデーションになるように、背景と警告パターンの一方を網点で、他方を網点で白抜きした万線で構成したことを特徴とする偽造防止用紙。
【発明の詳細な説明】
【技術分野】
【０００１】
本発明は、用紙表面に「ＣＯＰＹ」「無効」等と表示した警告パターンを周囲の背景とは目視で判別できないように施しておき、複写したときに警告パターンが背景と判別できるようにして、複写物であることを知らせるための偽造防止用紙に関するものである。
【背景技術】
【０００２】
従来の偽造防止用紙は、万線及び網点からなる警告パターンと背景がカモフラージュパターンとともに施された潜像印刷層に、グラデーション印刷層を重ね刷りしたものがある。（特許文献１参照）
【０００３】
【先行技術文献】
【特許文献】
【０００４】
【特許文献１】実公平３−１５３３７号公報
【発明の概要】
【発明が解決しようとする課題】
【０００５】
上記の従来技術には、潜像印刷層にグラデーション印刷層を重ね刷りすることによって、グラデーション印刷層が潜像印刷層を隠蔽してしまい、グラデーション印刷層が用紙上にすこぶる判然と現れて潜像印刷層が目立たなくなり、複写機の低濃度設定での再現性が弱くなり、複写機によっては警告パターンが現れなくなるという問題があった。
【課題を解決するための手段】
【０００６】
本発明は、背景と警告パターンからなり、背景と警告パターンがグラデーションになるように、背景と警告パターンの一方を網点で、他方を網点で白抜きした万線で構成したことを特徴とする偽造防止用紙である。
【発明の効果】
【０００７】
本発明の偽造防止用紙は、潜像印刷層にグラデーション印刷層を重ね刷りしないので、複写機の低濃度設定での再現性が弱くなることなく、複写機が低濃度設定であったとしても、警告パターンが複写物上に現れるので、複写物であることが一目で判別でき、偽造を防止できる。
また、グラデーション印刷層の濃淡が用紙上にくっきりと現れる問題を無くすことができる。
【図面の簡単な説明】
【０００８】
【図１】図１は、本発明の概略平面図である。
【図２】図２は、薄色における網点で白抜きした万線の拡大図である。
【図３】図３は、中間色における網点で白抜きした万線の拡大図である。
【図４】図４は、濃色における万線の拡大図である。
【図５】図５は、通常濃度（自動濃度）で複写した場合の概略平面図である。
【図６】図６は、低濃度で複写した場合の概略平面図である。
【図７】図７は、高濃度で複写した場合の概略平面図である。
【発明を実施するための形態】
【０００９】
本発明の用紙を通常の複写機濃度で複写すると、グラデーションの中間色濃度に相当する箇所に警告パターンが鮮明に現れる。複写機濃度を薄く設定した場合は、薄色と中間色濃度に相当する警告パターンは現れないが、濃色に相当する警告パターンが鮮明に現れる。逆に複写機濃度を濃く設定した場合は、濃色に相当する警告パターンが濃くなって背景との区別がつきにくくなるが、薄色と中間色濃度に相当する警告パターンが鮮明に現れる。
【実施例】
【００１０】
以下、図１〜図７にて、実施例１について説明する。
【００１１】
図１は、本発明の一例の概略平面図であり、用紙１全面にグラデーションが施されている。グラデーションは用紙１の中央が淡く、中央から上下の端に向かって連続的に濃くなっている。グラデーションは一様のパターンで形成されているように見えるが、実際には背景２とともに「ＣＯＰＹ」と表示した複数列の警告パターン３が形成されている。背景２は円状の網点、警告パターン３は直線が平行に等ピッチで並んだ万線で形成されている。背景２を形成する網点は複写してもほとんど再現されないサイズ、警告パターン３を形成する万線は複写してもほぼ再現される太さになっている。用紙１の中央の淡い部分を薄色４、中央から上下の端の間を中間色５、上下の端の濃い部分を濃色６とする。薄色４では、背景２を形成する網点、警告パターン３を形成する万線の面積率を、中間色５，濃色６より低くする必要がある。面積率を低くする方法は、背景２を形成する網点のサイズを小さくし、警告パターン３を形成する万線を網点で白抜きする。中間色５，濃色６を形成するには、薄色４より背景２を形成する網点のサイズを大きくし、警告パターン３を形成する万線を白抜きする網点のサイズを小さくする。
【００１２】
図１の背景２の網点は２００線とし、面積率を薄色４は１０％，中間色５は２０％，濃色６は３０％相当のグラデーションとする。また、警告パターン３の万線は面積率３０％相当になるように、太さ０．１５ｍｍ，ピッチ０．５ｍｍとし、白抜きする網点は２００線とし、薄色４は６６．７％，中間色５は３３．３％，濃色６は０％（白抜きせず）相当のグラデーションとする。
【００１３】
以下、図２〜図４の警告パターン３を構成する網点で白抜きする万線について説明する。
【００１４】
図２は、薄色における網点で白抜きした万線の拡大図である。警告パターン３の万線（太さ０．１５ｍｍ，ピッチ０．５ｍｍ）に、６６．７％（３０％×（１−０．６６７）≒１０％）相当の網点で、白抜きした万線からなる。
【００１５】
図３は、中間色における網点で白抜きした万線の拡大図である。警告パターン３の万線（太さ０．１５ｍｍ，ピッチ０．５ｍｍ）に、３３．３％（３０％×（１−０．３３３）≒２０％）相当の網点で、白抜きした万線からなる。
【００１６】
図４は、濃色における万線の拡大図である。警告パターン３の万線（太さ０．１５ｍｍ，ピッチ０．５ｍｍ）を白抜きせずに用いる。
【００１７】
図５〜図７は上記用紙１を複写した状態である。
【００１８】
図５は、用紙１を通常濃度で複写した際に得られる複写物７である。複写物７の薄色４では何も現れず、中間色５，濃色６では「ＣＯＰＹ」の警告パターン３が現れている。用紙１の薄色４は、警告パターン３を形成する万線が網点で白抜きされており、通常濃度で複写する際には、再現されない面積率となっている。用紙１の中間色５及び濃色６は、警告パターン３を形成する万線が薄色４よりも小さな網点で白抜きされており、通常濃度で複写する際には、再現される面積率となっている。
【００１９】
図６は、用紙１を低濃度で複写した際に得られる複写物８である。複写物８の薄色４，中間色５では、何も現れず、濃色６では「ＣＯＰＹ」の警告パターン３が現れている。用紙１の薄色４，中間色５は、警告パターン３を形成する万線が網点で白抜きされており、低濃度で複写する際には再現されない面積率となっている。用紙１の濃色６は、警告パターン３を形成する万線が、薄色４，中間色５よりも小さな網点で白抜きされており、低濃度で複写する際には再現される面積率となっている。
【００２０】
図７は、用紙１を高濃度で複写した際に得られる複写物９である。複写物９の中間色５，濃色６では何も現れず、薄色４では「ＣＯＰＹ」の警告パターン３が現れる絵柄となっている。用紙１の中間色５，濃色６では、高濃度で複写する際には、警告パターン３を形成する万線が再現されるが、背景２を形成する網点が再現される面積率となっているため、背景２，警告パターン３ともに再現されてしまい、はっきりと警告パターン３を確認できない。用紙１の薄色４は、高濃度で複写する際には警告パターン３を形成する万線が再現できる面積率、背景２を形成する網点が、再現されない面積率となっているので、複写物９上では警告パターン３のみ再現される。
【００２１】
以上のように、複写機の濃度を濃淡いずれかの調節範囲に設定しても、薄色４，中間色５，濃色６内にある警告パターン３のいずれかが現れて、複写物であることを知らしめる。ただ、複写機は機種，メーカーによって濃淡の調節範囲が異なるので、上記の実施例と同一に警告パターン３が現れるわけではなく、出方が相違することはあるが、薄色４，中間色５，濃色６のいずれかの箇所に警告パターン３が現れることに変わりはない。
【００２２】
また、上記実施例とは逆に、警告パターンを網点で構成し、背景を網点で白抜きした万線で構成しても、複写物上の警告パターンが逆に白く抜ける以外は、同様の作用効果が得られる。
【００２３】
また、背景と警告パターンを目立たなくさせるため、カモフラージュパターンを組み込んだり、各種模様を重ね刷りして装飾効果をもたせることもできる。
【００２４】
なお、本発明は、上記実施例で特定の数値を示したが、本発明の効果を得られる範囲にて、網点の線数，面積率，万線の太さ，ピッチ，白抜き網点の線数，面積率を設定できるものとする。
【符号の説明】
【００２５】
１          用紙
２          背景
３          警告パターン
４          薄色
５          中間色
６          濃色
７、８、９  複写物
【図１】
2011031583.tif 000003
【図２】
2011031583.tif 000004
【図３】
2011031583.tif 000005
【図４】
2011031583.tif 000006
【図５】
2011031583.tif 000007
【図６】
2011031583.tif 000008
【図７】
2011031583.tif 000009